(57)【特許請求の範囲】
【請求項１】
中空部を有する金属製手すり芯材と、前記手すり芯材の表面を覆うように抗菌作用を有する耐候性樹脂材料を用いて形成される手すりカバーと、を備える手すり本体と、
手すりの取り付け箇所に前記手すり本体を支持するため、前記手すり本体の両端部にブラケットを備えた、芳香剤をセットできる手すりにおいて、
開口部が、前記手すり本体に設けられ、
外蓋部が、平面視において、一つの短辺が直線状で、もう一つの短辺が曲線状である略長方形の形状を呈して、前記開口部を塞ぎ、
前記外蓋部にルーバー状に延在する複数の仕切り板を有する芳香剤放出部と、
前記外蓋部の反対側に形成され、前記開口部に嵌め込むように前記手すり本体の中空部へ延在し、一定の空間を構成する嵌合部と、
前記嵌合部の前記外蓋部側の周縁から全周に亘って外側に延出するように形成されて、前記外蓋部と隣接する縁部と、
前記縁部の直線状の短辺に延設する両長辺にそれぞれ形成される、略長方形の切り欠き部と、
前記外蓋部の直線状の短辺方向に対応させて前記嵌合部に形成される突起部と、を備え、
前記外蓋部を着脱するとき、前記略長方形の切り欠き部と前記突起部とを使用し、
前記開口部を介して、前記手すり本体内で取り替え可能にセットされる芳香剤カートリッジを備え、前記芳香剤放出部によって、前記芳香剤カートリッジの芳香成分が前記手すり本体の外部へ流出可能に構成されることを特徴とする、
芳香剤をセットできる手すり。
【請求項２】
殺菌剤、消臭剤又はエアーフレッシュの少なくとも一つを収納する前記芳香剤カートリッジが、前記手すり本体の中空部に着脱自在にセットされることを特徴とする、
請求項１に記載の、芳香剤をセットできる手すり。
【請求項３】
前記手すり本体は、長さが４００ｍｍ〜１２００ｍｍである直線状又は曲線状であって、２８ｍｍ〜４５ｍｍの直径の円形又は楕円形の断面を有し、前記手すりカバーの厚さが２ｍｍ〜７ｍｍであることを特徴とする、
請求項１または２のいずれか一項に記載の、芳香剤をセットできる手すり。
【発明の詳細な説明】
【技術分野】
【０００１】
本発明は、芳香剤をセットする手すりに関し、より詳しくは、芳香剤を容易に取り替え可能な手すりに関する。
【背景技術】
【０００２】
日本は、国勢調査の結果によって、２００７年に６５歳以上の人口は総人口の２１．５％を占め、超高齢社会となった。総務省が発表した２０１３年１０月１日時点の推計人口によると、２０２０年には高齢化率は２９．１％、２０３５年には３３．４％に達し、人口の３人に１人が高齢者になると推計されている。これから、老人ホームや病院等をたくさん設置する必要があると予想され、老人ホームや病院において、移動をサポートする手すりは安全で安心して利用できることが不可欠である。
【０００３】
歩行や動作補助のため、室内の廊下や階段、浴室やトイレ等に各種の手すりが取り付けられている。浴室は住まいの中で、最もケガや事故の多い場所であり、浴室内複数の箇所に手すりを設置すれば、転倒やつまずきを防止し、洗い場での動作や浴槽内で立ち座りをやさしく補助できる。また、洗面室及びトイレでの移動や動作においても身体のバランスを崩しやすいので、動作に合わせた手すりを設置することが多い。（引用文献１を参照）。
【０００４】
家庭や公共場所等の室内空間の空気による不快感をなくし、快適な空間を生み出すために芳香剤が広く使用されている。芳香剤を収納した容器を一定の場所に置くと、放出された香りにより不快な空気をなくし、快適な空間を生み出す。
【０００５】
老人ホームや病院等において、手すりは、廊下の側壁部分や階段の側壁部分を始めとして、食堂内、トイレ内、共有スペース内、寝室等、種々の場所において設けられている。しかしながら、老人ホームや病院等には、小物置場を設置することが困難であり、廊下や階段等のところは特に困難である。また、小物置場があっても、普通に芳香剤容器を置くことで老人や患者さんに怪我をさせたり、誤って食べられたりする恐れがある。ここで、廊下や階段等に設置されている手すりに芳香剤を入れることにより上記の欠点を克服することができる。
【０００６】
引用文献２（特開２００５−２１３９５９号公報）には、掴み部分が中空構造の手すり類において、この中空部分に消臭剤を充填して掴み部分に呼吸孔を設けたことを特徴とする手すり類の消臭空気清浄構造が提案されている。当該発明によれば、手すり類本来の機能を果たしながら、建物や車両内の消臭や空気清浄が達せられ、衛生環境が改善されるという優れた効果を奏する。
【先行技術文献】
【特許文献】
【０００７】
【特許文献１】特開平１１−０２２１３３号公報
【特許文献２】特開２００５−２１３９５９号公報
【発明の概要】
【発明が解決しようとする課題】
【０００８】
しかしながら、特許文献１に記載の手すりは、手すりの機能性のみが重要視されており、これらの手すりを上記の箇所に配置しても安らぎや楽しさを与えることができなかった。
【０００９】
また、特許文献２に記載の中空構造の手すり類において、中空の手すり本体にセットされた芳香剤の芳香成分が手すりの外部に流出させることが可能であるため、この手すりが配置された箇所及びその周縁に好適な香りを漂わせることが可能となり、安らぎや楽しさ等を与えることが可能となるが、消耗品である芳香剤の交換方法について、明らかに記載されていない。
【００１０】
本発明は発明者たちが従来の欠点に鑑み鋭意研究の結果であり、芳香剤を容易に取り替え可能な手すりを提供することを目的とする。
【課題を解決するための手段】
【００１１】
本発明は、以下の構成によって把握される。
（１）本発明の芳香剤をセットできる手すりに係る第１の態様は、中空部を有する金属製手すり芯材と、前記手すり芯材の表面を覆うように抗菌作用を有する耐候性樹脂材料を用いて形成される手すりカバーと、を備える手すり本体と、手すりの取り付け箇所に前記手すり本体を支持するため、前記手すり本体の両端部にブラケットを備えた、芳香剤をセットできる手すりにおいて、
開口部が、前記手すり本体に設けられ、外蓋部が、平面視において、一つの短辺が直線状で、もう一つの短辺が曲線状である略長方形の形状を呈して、前記開口部を塞ぎ、前記外蓋部にルーバー状に延在する複数の仕切り板を有する芳香剤放出部と、前記外蓋部の反対側に形成され、前記開口部に嵌め込むように前記手すり本体の中空部へ延在し、一定の空間を構成する嵌合部と、前記嵌合部の前記外蓋部側の周縁から全周に亘って外側に延出するように形成されて、前記外蓋部と隣接する縁部と、前記縁部の直線状の短辺に延設する両長辺にそれぞれ形成される、略長方形の切り欠き部と、前記外蓋部の直線状の短辺方向に対応させて前記嵌合部に形成される突起部と、を備え、
前記外蓋部を着脱するとき、前記略長方形の切り欠き部と前記突起部とを使用し、
前記開口部を介して、前記手すり本体内で取り替え可能にセットされる芳香剤カートリッジを備え、前記芳香剤放出部によって、前記芳香剤カートリッジの芳香成分が前記手すり本体の外部へ流出可能に構成されている。
【００１２】
（２）上記（１）の構成において、殺菌剤、消臭剤又はエアーフレッシュの少なくとも一つを収納する前記芳香剤カートリッジが、前記手すり本体の中空部に着脱自在にセットされてもよい。
【００１３】
（３）上記（１）または（２）の構成において、前記手すり本体は、長さが４００ｍｍ〜１２００ｍｍである直線状又は曲線状であって、２８ｍｍ〜４５ｍｍの直径の円形又は楕円形の断面を有し、前記手すりカバーの厚さが２ｍｍ〜７ｍｍであってもよい。
【発明の効果】
【００１６】
この構成によれば、置く場所がなくても、芳香剤を設置することができ、かつ、当該芳香剤を容易に取り替え可能な手すりを提供することができる。
【図面の簡単な説明】
【００１７】
【図１】本発明の第１実施形態に係る手すりの平面図である。
【図２ａ】本発明の第１実施形態に係る手すりの端部ブラケットの分解斜視図である。
【図２ｂ】蓋部の平面図である。
【図２ｃ】一つの方向から見る蓋部の側面図である。
【図２ｄ】他の方向から見る蓋部の斜視図である。
【図３】本発明の第１実施形態に係る手すりの蓋部にセットする芳香剤カートリッジの断面図である。
【図４】本発明の第２実施形態に係る手すりの平面図である。
【図５】本発明の他の実施形態に係る手すりの側面図である。
【発明を実施するための形態】
【００１８】
以下に本発明の好ましい実施形態に基づき、図面と共に詳細に説明する。これらは例示の目的で掲げたもので、これらにより本発明を限定するものではない。また、実施形態の説明の全体を通して同じ要素には同じ符号を付している。
【００１９】
第１実施形態
図１は、本発明の第１実施形態に係る直線状手すり１０の平面図であり、図２ａは本発明の第１実施形態に係る手すりの端部ブラケット１０２の分解斜視図であり、図２ｂは蓋部１０４の平面図であり、図２ｃは一つの方向から見る蓋部１０４の斜視図であり、図２ｄは他の方向から見る蓋部１０４の側面図であり、図３は、本発明の第１実施形態に係る手すりの蓋部１０４にセットする芳香剤カートリッジの断面図である。
【００２０】
図１及び図２ａに示すように、手すり１０は、中空部を有する金属製手すり芯材と、手すり芯材の表面を覆うように抗菌作用を有する樹脂材料を用いて形成される手すりカバー（図示せず）と、を備える手すり本体１０１と、手すり本体１０１の端部に設けられ、壁などの取り付け部分に固定されることにより手すり本体１０１を支持し、中空部を有するブラケット（止まりエンドとも言える）１０２と、を備える手すりにおいて、一つのブラケット１０２に設けられる開口部１０３と、開口部１０３を介して、ブラケット１０２内に取り替え可能にセットされる芳香剤カートリッジ（図示せず）と、開口部１０３を塞ぐため、開口部１０３に着脱可能に設けられる蓋部１０４と、を備え、蓋部１０４にルーバー状に延在する複数の仕切り板を有する芳香剤放出部１０５によって、芳香剤カートリッジの芳香成分が手すり１０の外部へ流出可能に構成されている。
【００２１】
手すり本体１０１における金属手すり芯材に用いる金属は、特に限定されるものではなく、鉄鋼、アルミニウム、ステンレス、亜鉛、チタン等の金属材料を用いて形成してよいが、押出成形の容易さ及び軽量であることから、アルミニウム若しくはアルミニウム合金を用いて形成するのが好ましい。また、金属手すり芯材の肉厚が例えば３ｍｍ程度で、表面には最大表面粗さが０．０１〜０．１ｍｍ程度の微細な凹凸を設けて手すり１０のカバーとの接触面積を大きくすると共に、手すり１０のカバーの収縮による位置ずれを防ぐ、手すり１０のカバーが金属手すり芯材から剥離することを防止するようにしておくのが好ましい。
【００２２】
手すり１０のカバーとしては、変色や退色がほとんどない耐候性樹脂からなり、年間を通して手にやさしく安全で、冬はひんやりしなく、夏は暑くなりにくいオールシーズン対応の親切な樹脂素材である。カバーの色としては、白、赤、黄、青、グレー、外観との調和を意識したナチュウラルベースな木目ライトブラウン、使いやすさとエクステリアとの調和を兼ね備える木目ミディアムブラウン等が挙げられる。
【００２３】
上記耐候性樹脂に用いる合成樹脂材料は、押出成形が可能であれば、特に限定されるものではなく、例えばポリエチレン、ポリプロピレン、ポリブテン、ポリイソプレン、エチレン酢酸ビニル共重合体などのポリオレフィン系樹脂、ポリ塩化ビニル、ＡＢＳ樹脂、ポリアミド、アクリル樹脂等の熱可塑性樹脂、フェノール樹脂、ポリエステル、ユリヤ樹脂等の熱硬化性樹脂等を用いることができる。また、樹脂材料には、木粉が配合されていてもよく、木粉を配合することにより木質感を現出させることができるとともに成形品の強度を向上することができ、木粉によって外観や強度を向上させることができる。
【００２４】
また、必要に応じて適宜添加剤などを配合してもよい。例えば炭酸カルシウム、石粉等の充填剤や発泡剤、発泡助剤、紫外線吸収剤、帯電防止剤等を配合してもよい。また、不燃性を付与するために水酸化アルミニウム等の無機粒子を配合してもよい。ほかにも、熱可塑性エラストマーを加えて、表面の滑り性を抑制するようにしてもよい。
【００２５】
手すり１０は人の手が直接触れる機会が多い構成材であることから、その外表面の衛生を保つために、カバーの樹脂材料には、抗菌剤や耐候剤を配合することができる。この抗菌剤等の好ましい配合量は、カバーに悪影響を及ぼさない程度の量である。抗菌剤としては無機系抗菌剤が好ましい。
【００２６】
無機系抗菌剤としては、無機イオン交換体に金属イオンを担持させた無機系抗菌剤が好ましい。担持される金属イオンとしては銀、銅、亜鉛イオンが好ましい。無機イオン交換体としては、ゼオライト、リン酸塩系無機イオン交換体、アルミノケイ酸塩、活性炭、ハイドロキシアパタイト、ガラスが例示され、ゼオライト及びリン酸塩系無機イオン交換体が好ましい。リン酸塩系無機イオン交換体としてはリン酸ジルコニウム塩が好ましい。
【００２７】
また、カバーは単層又は２層以上の複層になっていてもよい。例えば、内層部と表層部との２層構造にして、層ごとに樹脂の組成や添加剤の量を変化させてもよい。２層にして組成を変化させることで、機能や耐久性、外観を向上させることもできる。例えば、外装は顔料で加飾をしたり、内部は耐久性や強度を持たせたりすることもできる。
【００２８】
手すり本体１０１の長さについては、設置場所によって異なるが、本実施形態において、その長さが４００ｍｍ〜１２００ｍｍであり、好ましくは６００ｍｍ〜９００ｍｍである。手すり本体１０１の断面が必ずしも円形とは限らなく、楕円形でもよい。その太さについては、使用する人によって異なるが、本実施形態において、手すり本体１０１の断面が円形であって、２８ｍｍ〜４５ｍｍの直径を有する。好ましくは３０ｍｍ〜４０ｍｍであり、より好ましくは３３ｍｍ〜３５ｍｍである。手すり本体１０１の直径が４５ｍｍを超えると、しっかりと握れないので、人間工学に基づき力を入れにくく滑りやすいので好ましくない。２８ｍｍ未満の場合は、手すりの強度が足りないので手すりの役割を果たせない。例えば、多くの人が利用する建物において、軽く握るので４０ｍｍの直径が適し、手を滑らせながらしっかり握って使われる老人ホーム等の場所では、やや細めの３４ｍｍの直径が適している。
【００２９】
手すり芯材の表面に設けられるカバーは、その厚さが２ｍｍ〜７ｍｍである。好ましくは３ｍｍ〜５ｍｍである。このような所定範囲内の厚みが金属製の手すり芯材の表面に設けられることによって、人が触れた際に天然木のような温かみのある触感を有し、また、金属製の手すり芯材が本来的に有する剛性を発揮することができ、使用に耐えうる剛性を兼ね備えた手すり本体１０１が実現される。
【００３０】
ブラケット１０２は、図２ａに示すように、中空部を有するブラケット本体１０２１と、ブラケット本体１０２１には、手すり本体１０１に嵌着するために形成される嵌着口１０２２と、ブラケット１０２を壁などに固定する固定部１０２３と、ブラケット本体１０２１の固定部１０２３の反対側に形成される開口部１０３と、開口部１０３を塞ぐため、開口部１０３に嵌合する蓋部１０４と、を備えている。
【００３１】
ブラケット１０２の固定部１０２３には、ブラケット中空部を貫く挿通用孔（図示せず）が形成されており、この挿通用孔にボルト、ビス等の取り付け具を挿通させて壁などの取り付け部分に固定することによりブラケット１０２を固定する。
【００３２】
嵌着口１０２２は、ブラケット本体１０２１ から外部側に突出し、中空部を有する手すり本体１０１の両端部の開口に嵌合するように形成され、その内部に構成される空間が手すり本体１０１の空間と相互に連通するように形成されている。ブラケット１０２は、握る際に違和感が少なく使いやすいため、手すり本体１０１と同じ材料で成形されている。ブラケット１０２は止まりエンドの役割を果たし、かつ、固定部１０２３によって壁などの取り付け部分に固定されることにより手すり本体１０１を支持する。
【００３３】
蓋部１０４は、図２ｂ〜図２ｄに示すように、平面視において、一つの短辺が直線で、もう一つの短辺が曲線である略長方形の外蓋部を有し、外蓋部に形成されるルーバー状に延在する複数の仕切り板を有する芳香剤放出部１０５と、その外蓋部の反対側に形成され、開口部１０３に嵌め込むようにブラケット１０２の中空部の内部へ延在し、一定の空間を構成する嵌合部１０７と、嵌合部１０７の蓋部１０４の外蓋部側の周縁から全周に亘って外側に延出するように形成され、蓋部１０４の外蓋部と隣接する縁部１０９と、縁部１０９の直線状の短辺に接近する両長辺にそれぞれ形成される略長方形の切り欠き部１０６と、直線状短辺に対応する嵌合部１０７に形成される突起部１０８と、を備えている。蓋部１０４における切り欠き部１０６及び突起部１０８の構成によって、蓋部１０４を取り外すときは、ワンタッチで着脱可能にすることができ、よって、開口部１０３を介して、芳香剤カートリッジをブラケット１０２の中空部に容易に取り替え可能にセットできる。
【００３４】
また、蓋部１０４は、一つの例として、芳香剤放出部１０５のルーバー状仕切り板同士で構成する隙間が約１ｍｍ、突起部１０８が約１．５ｍｍ、略長方形の切り欠き部１０６の長辺が約７ｍｍ、短辺が約１．５ｍｍ、外蓋部の直線状短辺から切り欠き部１０６までの距離が約５ｍｍ、外蓋部の直線状短辺に対応する嵌合部１０７の高さが約１７ｍｍ、曲線状短辺に対応する嵌合部１０７の高さが約１５ｍｍであるような構成をすることができる。
【００３５】
蓋部１０４の構成材としては手すりと同様にすることができるが、コスト削減の観点から、樹脂材料で構成することが好ましい。蓋部１０４の色としては、手すり１０と調和するために、手すり本体１０１と同じ色にすることができ、また、芳香剤カートリッジの有無を容易に確認するため、透明色にしてもよい。
【００３６】
手すり内に芳香剤をセットする場所としては、芳香剤が手すり１０の内部に収納されることができれば特に限定しない。例えば、蓋部１０４の中空部にセットすることができ、又は蓋部１０４に対応するブラケットの中空部にセットしてもよい。
【００３７】
手すり１０にセットされる芳香剤は、簡単に取り替えできるため、カートリッジに形成されるタイプが好ましい。カートリッジとしては、通気孔を備え、軽量でコストも安くできるＰＥ、ＰＰ、ＰＳ等の合成樹製の容器状に形成されたものを用い、当該容器に芳香剤、殺菌剤、消臭剤又はエアーフレッシュの少なくとも一つをナフタレン等の昇華剤や無機吸着剤に含浸させた粒状若しくはゼリー状のもの、又は紙、布、織布、不織布等に含浸させたもの等の芳香剤が収納されるように構成される。
【００３８】
芳香剤カートリッジは、開口部１０３に出入自在で、手すり１０の内部に容易に着脱自在にセットできれば、その形について、特に限定することがなく、例えば、柔軟な棒状、塊状又は固形ペレット状の芳香剤等が挙げられる。芳香剤カートリッジのセット方法としては、芳香剤カートリッジをブラケット１０２の内部空間に置くだけ、若しくは両面テープでブラケット１０２の内面に粘着されることによってセットされ、又は蓋部１０４の内部空間にあらかじめ設けられる収納部にセットされる等の方法が挙げられ、図３は芳香剤カートリッジのセット方法の一例であり、この場合には、芳香効果が弱まってきた芳香剤を取り替えたいときは、芳香剤カートリッジだけを取り替えることができ、また、蓋ごとに取り替えしてもよい。
【００３９】
また、カートリッジには異なる香りの芳香剤、殺菌剤、消臭剤又はエアーフレッシュを入れることができ、置く場所、役割、気分又は季節によって自由に選ぶことができる。
【００４０】
この手すり１０の構成によれば、開口部１０３を介してブラケット１０２の空間にセットされる芳香剤カートリッジの芳香成分が蓋部１０４の芳香剤放出部１０５によって手すり１０の外部に流出させることが可能であるため、この手すり１０が配置される箇所及びその周辺に好適な香りを漂わせることが可能となり、安らぎや楽しさ等を与えることが可能となる。
【００４１】
また、芳香剤カートリッジが手すりの内部にセットされているので、室内に置く場所がなくても、安全、安心且つ容易に取り替えできる芳香剤を置くことができる。また、色付けの蓋部１０４を用いる場合は、芳香剤カートリッジが手すり１０の外観から分からず、意匠性に優れる。
【００４２】
実施形態２
図４は本発明の第２実施形態に係る手すりの平面図であり、図４において、上記図１〜図３で示したものと同一又は同等箇所には同一の符号を付して示している。また、以下の説明において、構造について上記で示した箇所と重複する説明は、必要な事項を除き省略する。
【００４３】
図４に示すように、手すり１０は、中空部を有する金属製手すり芯材と、手すり芯材の表面を覆うように抗菌作用を有する樹脂材料を用いて形成される手すりカバー（図示せず）と、を備える手すり本体１０１と、手すり本体１０１に設けられる開口部１０３と、開口部１０３を介して、手すり本体１０１内に取り替え可能にセットされる芳香剤カートリッジ（図示せず）と、開口部１０３を塞ぐため、開口部１０３に着脱可能に設けられる蓋部１０４と、を備え、蓋部１０４にルーバー状に延在する複数の仕切り板を有する芳香剤放出部１０５によって、芳香剤カートリッジの芳香成分が手すり１０の外部へ流出可能に構成されている。
【００４４】
芳香剤カートリッジは蓋部１０４の中空部にセットされ、又は手すり本体１０１の中空部にセットされることができる。この手すり１０の構成によれば、蓋部１０４を介して手すり本体１０１の中空部空間にセットされる芳香剤カートリッジの芳香成分が蓋部１０４の芳香剤放出部１０５によって手すり１０の外部に流出させることが可能であるため、この手すり１０が配置される箇所及びその周辺に好適な香りを漂わせることが可能となり、安らぎや楽しさ等を与えることが可能となる。
【００４５】
他の実施形態
実施形態１及び２において、手すりの一箇所に開口部及び蓋部を設けることにより、芳香剤をセットできる手すりが構成されている。手すりの長さにより、多箇所で芳香剤をセットできる開口部及び蓋部を設ける構成にしてもよい。
【００４６】
また、実施形態１及び２において、直線状手すりに芳香剤をセットしたが、いうまでもなく、手すりの表面及び形状に関係なく、内部空間を有するすべての手すりに芳香剤をセットすることができる。例えば、図５に示す波状な手すり２０にセットすることができる。
【００４７】
以上、実施形態を用いて本発明を説明したが、本発明の技術的範囲は上記実施形態に記載の範囲には限定されないことはいうまでもない。上記実施形態に、多様な変更又は改良を加えることが可能であることが当業者に明らかである。また、その様な変更又は改良を加えた形態も本発明の技術的範囲に含まれ得ることが、特許請求の範囲の記載から明らかである。
【符号の説明】
【００４８】
１０          直線状手すり
１０１        手すり本体
１０２        ブラケット
１０３        開口部
１０４        蓋部
１０５        芳香剤放出部
１０６        切り欠き部
１０７        嵌合部
１０８        突起部
１０９        縁部
１０２１      ブラケット本体
１０２２      嵌着口
１０２３      固定部
２０          波状な手すり
【要約】
【課題】容易に芳香剤を取り替えできる手すりを提供する。
【解決手段】中空部を有する金属製手すり芯材と、手すり芯材の表面を覆うように抗菌作用を有する樹脂材料を用いて形成される手すりカバーと、を備える手すり本体と、手すり本体の両端部に設けられ、手すり本体を支持し、中空部を有するブラケットと、を備える手すりにおいて、手すりに設けられる開口部と、開口部を介して、手すり内に取り替え可能にセットされる芳香剤カートリッジと、開口部を塞ぐため、開口部に着脱可能に設けられる蓋部と、を備え、蓋部の外蓋部に形成されるルーバー状複数の仕切り板を有する芳香剤放出部によって、芳香剤カートリッジの芳香成分が手すりの外部へ流出可能に構成されている。
【選択図】  図２ａ【図１】
0006008354.tif 000002
【図２ａ】
0006008354.tif 000003
【図２ｂ】
0006008354.tif 000004
【図２ｃ】
0006008354.tif 000005
【図２ｄ】
0006008354.tif 000006
【図３】
0006008354.tif 000007
【図４】
0006008354.tif 000008
【図５】
0006008354.tif 000009